(57)【要約】【課題】この発明は利用者が長時間にわたって下肢の痺れを招くことなく正座することができるようにした座椅子を提供することにある。【解決手段】座部体２と、この座部体の後端に回動可能かつ所定の起立角度で保持可能に設けられた背部体３と、上記座部体の幅寸法よりも大きな間隔で離間した一対の支持部材及びこれら支持部材８に両端を連結して架設された着座部材７とを有し、この着座部材が上記座部体の上方を幅方向に跨いで配置される補助体６とを具備する。【選択図】    図１
2004160066.tif 000002
【特許請求の範囲】
【請求項１】
座部体と、
この座部体の後端に回動可能かつ所定の起立角度で保持可能に設けられた背部体と、
上記座部体の幅寸法よりも大きな間隔で離間した一対の支持部材及びこれら支持部材に両端を連結して架設された着座部材とを有し、この着座部材が上記座部体の上方を幅方向に跨いで配置される補助体と
を具備したことを特徴とする座椅子。
【請求項２】
上記背部体の下端部には、利用者が上記補助体の着座部材に臀部を載せて着座したときに、足部の先端部が背部体の前面に当たるのを防止する開口部が形成されていることを特徴とする請求項１記載の座椅子。
【請求項３】
後端に所定の高さの立ち上がり部が形成された座部体と、
この座部体の立ち上がり部の上端に下端が回動可能に連結された背部体と、
この背部体と上記座部体との連結部分に設けられ上記座部体に対して所定の角度で起立した第１の状態及び上記背部体を座部体の上面に対して所定間隔でほぼ平行に倒伏した第２の状態とで保持する保持手段と
を具備したことを特徴とする座椅子。
【請求項４】
上記座部体の後端部には、利用者が背部体に寄り掛かったときの荷重で座部体が後端部を支点として前端側が持ち上がるのを阻止する転倒防止部材が設けられていることを特徴とする請求項３記載の座椅子。
【発明の詳細な説明】
【０００１】
【発明の属する技術分野】
この発明は座部体と背部体とを有し、下肢に大きな負担をかけることなく正座することができる座椅子に関する。
【０００２】
【従来の技術】
和室で使用される座椅子には種々のタイプのものがあり、たとえば金属パイプによって形成されたフレーム状の座部体と背部体とをヒンジによって回動可能かつ所定の角度で保持可能に連結した構造、或いは一枚の板材をほぼＬ字状に折り曲げ加工することで、その一端部を座部体、他端部を背部体とした構造などが知られている。
【０００３】
いずれの構造の座椅子においても、使用する場合には、利用者はあぐら座で着座したり、正座で着座することがあり、その使用形態は利用者によって異なる。正座の状態で使用する場合、利用者の足部、とくに膝裏と足の甲とが利用者自身の体重によって圧迫されることになる。また、あぐら座の状態で使用する場合にも、下肢の、とくに爪先の甲の部分が圧迫されるということがある。そのため、下肢の血行が悪くなるから、神経が麻痺し、シビレが生じ易いということがあり、長時間の利用を嫌う利用者が多い。
【０００４】
そこで、下肢を圧迫せずに正座或いはあぐら座の状態で着座することができる座椅子が開発されている。そのような座椅子としてはたとえば特許文献１に示されているものがある。
【０００５】
【特許文献１】
特願平４−３２２８１５号公報
特許文献１に示された座椅子は、座部体の後方中央部に利用者が臀部を載置し得る大きさの補助座板を設け、この補助座板の中央部に高さ調節可能な昇降機構の昇降部を設け、この昇降部によって上記補助座板を昇降させるようにしている。
【０００６】
利用者が着座する際には、上記補助座板を上昇させ、そこに着座した利用者の下肢を補助座板の下面で、昇降部の両側の空間部に位置させる。それによって、下肢に体重を掛けることなく正座或いはあぐら座で着座できるようにしている。
【０００７】
上記昇降機構にはガスシリンダー方式、リンク方式、ギア方式などが採用され、昇降部は上昇時に機構部が露出しないようカバーで覆われる構成となっている。
【０００８】
【発明が解決しようとする課題】
ところで、上記昇降部は座部体の厚さ方向に上下動させる構成となっており、しかも昇降部を上下駆動するための昇降機構が上記座部体内に設けられることになる。
【０００９】
そのため、座部体は昇降部を収納することができる厚さ寸法を備えていなければならず、しかも昇降機構を収納することができる構造でなければならないから、座部体の厚さ寸法が厚くなったり、構造の複雑化を招くなどのことがある。
【００１０】
さらに、昇降機構としてガスシリンダー方式、リンク方式、ギア方式などを用いると、これらの機構は比較的高価であるから、座椅子のコスト上昇の要因になるということがある。
【００１１】
この発明は、座部体を厚くしたり、複雑な機構を用いたりせずに、利用者の下肢に負担を掛けることなく正座やあぐら座の着座姿勢をとることができるようにした座椅子を提供することにある。
【００１２】
【課題を解決するための手段】
請求項１の発明は、座部体と、
この座部体の後端に回動可能かつ所定の起立角度で保持可能に設けられた背部体と、
上記座部体の幅寸法よりも大きな間隔で離間した一対の支持部材及びこれら支持部材に両端を連結して架設された着座部材とを有し、この着座部材が上記座部体の上方を幅方向に跨いで配置される補助体と
を具備したことを特徴とする座椅子にある。
【００１３】
請求項２の発明は、上記背部体の下端部には、利用者が上記補助体の着座部材に臀部を載せて着座したときに、足部の先端部が背部体の前面に当たるのを防止する開口部が形成されていることを特徴とする請求項１記載の座椅子にある。
【００１４】
請求項３の発明は、後端に所定の高さの立ち上がり部が形成された座部体と、
この座部体の立ち上がり部の上端に下端が回動可能に連結された背部体と、
この背部体と上記座部体との連結部分に設けられ背部体を上記座部体に対して所定の角度で起立した第１の状態及び背部体を座部体の上面に対して所定間隔でほぼ平行に倒伏した第２の状態とで保持する保持手段と
を具備したことを特徴とする座椅子にある。
【００１５】
請求項４の発明は、上記座部体の後端部には、利用者が背部体に寄り掛かったときの荷重で座部体が後端部を支点として前端側が持ち上がるのを阻止する転倒防止部材が設けられていることを特徴とする請求項３記載の座椅子にある。
【００１６】
この発明によれば、座部体や背部体の大型化を招かない簡単な構成であっても、下肢に大きな負担を掛けずに着座することができる。
【００１７】
【発明の実施の形態】
以下、この発明の実施の形態を図面を参照しながら説明する。
【００１８】
図１乃至図３はこの発明の第１の実施の形態を示す。図１に示すこの発明の座椅子１は座部体２を備えている。この座部体２は詳細は図示しないが、所定の厚さを有する矩形状の座板の上面にウレタンフォームなどのシート状のクッション材を重合し、これらの重合体を布地で被覆して構成されている。
【００１９】
上記座部体２の後端には背部体３が下端部の幅方向両端を図示しないヒンジによって回動可能に連結されている。背部体３は図１に示すように座部体２に対して所定の角度で起立し、それ以上後方へは倒伏不能な状態で保持可能となっているとともに、図３に示すように座部体２の上面に重合する状態に倒伏させることができるようになっている。なお、上記背部体３の下端部には幅方向両端部を除く部分に開口部４が形成されている。
【００２０】
図１に示すように、座部体２には補助体６が設置可能となっている。つまり、補助体６は座部体２の幅寸法とほぼ同等或いはわずかに長い帯板状で、下方に向かってわずかに湾曲した着座部材７を有する。この着座部材７の長手方向一端と他端とは支持部材８の高さ方向中途部に連結されている。この支持部材８はほぼ逆Ｕ字状をなしていて、上端はほぼ水平な把持部９に形成されている。
【００２１】
上記補助体６は、一対の支持部材８を座部体２の幅方向両側外方に位置させることで、着座部材７が座部体２の上面を幅方向に跨いで設置される。その状態で、着座部材７の下面と座部体２の上面との間には、着座部材７の支持高さに応じた空間部が形成されることになる。
【００２２】
上記構成の座椅子１を利用する場合には、図２に示すように利用者Ｕは下肢を折り曲げて臀部を補助体６の着座部材７に臀部を載置し、折り曲げた下肢の膝から下の部分を着座部材７と座部体２との間の空間部に入れて正座する。
【００２３】
利用者Ｕは着座部材７に臀部を載せて正座するため、折り曲げた下肢に体重が加わることがほとんどないばかりか、下肢の折り曲げ角度も大きくなる。そのため、長時間にわたって着座していても、下肢が圧迫され難いから、血行が悪くなって痺れが生じるのを防止することができる。
【００２４】
利用者Ｕが長身で、それに応じて下肢が比較的長い場合、補助座８の下面側の空間部に折り曲げた下肢を入れると、爪先が背部体３の下端部にぶつかることがある。しかしながら、上記背部体３の下端部には開口部４が形成されている。そのため、利用者Ｕの爪先は上記開口部４から背部体３の外面側に突出するから、楽な状態で正座することができる。
【００２５】
利用者Ｕが補助体６を利用して着座する場合、図２では正座している場合を示したが、正座に限られず、あぐら座であってもよく、その場合であっても、下肢に体重がほとんど加わることがないから、下肢が短時間で痺れるのを防止することができる。
【００２６】
上記補助体６は座部体２の幅方向両側外方に位置する一対の支持部材８を有する。そのため、補助体６の着座部材７に着座した利用者Ｕは上記支持部材８の上端の把持部９を肘掛けとして利用することができるばかりか、立ち上がる際に把持部９を把持することで、立ち上がり易くなるということもある。
【００２７】
上記補助体６は座椅子１と別体となっている。そのため、座椅子１を利用しないときには補助体６を除去して図３に示すように背部体３が座部体２に重合するよう折り畳んだ後、上記補助体６をその着座部材７が背部体３を幅方向に跨ぐよう設置することができる。それによって、不使用時には座椅子１と補助体６とをコンパクトにして収納することが可能となる。
【００２８】
図４乃至図７はこの発明の第２の実施の形態を示す。この実施の形態の座椅子１１は座部体１２を有する。この座部体１２は図４と図５に示すようにパイプ材をコ字状に曲成した座フレーム１３を有する。この座フレーム１３を形成するパイプ材の両端部、つまり座フレーム１３の後端はパイプ材を上方に向かって曲成した立ち上がり部１４に形成されている。
【００２９】
上記座フレーム１３の前端部と後端部との下面にはそれぞれ帯板状の補強部材１５が幅方向にわたって設けられている。座フレーム１３の後端部には、パイプ材をコ字状に曲成した転倒防止部材１６が両端を上記補強部材１５の両端部の上面に固着して設けられている。この転倒防止部材１６は座フレーム１３の後端側から突出している。それによって、座フレーム１３が後端側を支点として前端側が上昇する方向に回動するのを阻止する。
【００３０】
上記立ち上がり部１４の上端には後述する保持手段としてのヒンジ機構１８によって背部体１９が回動可能に連結されている。この背部体１９はパイプ材をコ字状に曲成した背フレーム２１を有し、この背フレーム２１の両端が上記ヒンジ機構１８を介して立ち上がり部１４の上端に連結されている。
なお、背フレーム２１の下端部には上方に向かって湾曲した補強パイプ２２が幅方向に沿って架設されている。
【００３１】
上記ヒンジ機構１８は図６（ａ），（ｂ）に示すように一端部が上記座フレーム１３の立ち上がり部１４の上端開口に挿入された固着された第１のヒンジ部材２３と、一端部が上記背フレーム２１の下端開口に挿入されて固着された第２のヒンジ部材２４とを有する。第１のヒンジ部材２３と第２のヒンジ部材２４とは帯板状の部材からなり、それらの板面を座椅子１１の前後方向に沿わせている。
【００３２】
第１のヒンジ部材２３と第２のヒンジ部材２４との他端部にはそれぞれ厚さ方向に貫通する連結孔２５，２６が形成されている。一対の連結孔２５，２６には連結軸２７が挿入され、それによって第１のヒンジ部材２３と第２のヒンジ部材２４とが回動可能に連結されている。
【００３３】
第１のヒンジ部材２３の他端部には、このヒンジ部材２３の幅方向後端側に突出した凸部２８が形成されている。第２のヒンジ部材２４の他端部の幅方向後端側には、このヒンジ部材２４の板面とほぼ直角に折曲された係止部２９が形成されている。
【００３４】
上記背フレーム２１を起立方向に回動させると、ほぼ垂直に起立した状態で上記第２のヒンジ部材２４の係止部２９が第１のヒンジ部材２３の幅方向後端面の凸部２８よりも下方の部分に係止する。それによって、背フレーム２１はほぼ垂直に起立した状態で、それ以上後方へ回動不能に保持される。
【００３５】
起立した背フレーム２１を前方に倒伏させる方向に回動させると、座フレーム１３に対してほぼ平行に倒伏した状態で背フレーム２１の両端部の端面２１ａが第１のヒンジ部材２３の幅方向の前端面２３ａに当接する。それによって、背フレーム２１は立ち上がり部１４の高さに応じた位置で座フレーム１３とほぼ平行な状態で保持されるから、座フレーム１３と背フレーム２１との間に空間部が形成されることになる。
【００３６】
図５に示すように座フレーム１３にはクッション材３１が設けられ、このクッション材３１は外装地３２によって被覆されている。背フレーム２１には座フレームと同様、補強部材１５の下側に開口部（図示せず）を残してよりも上側の部分にクッション材３３が設けられ、このクッション材３３は外装地３４によって被覆されている。
【００３７】
このような構成の座椅子１１を利用する場合。図７に示すように背部体１９を同図に鎖線で示す起立した状態から、実線で示すように座部体１２の上方にこの座部体１２と平行に位置するよう折り曲げる。そして、利用者Ｕは下肢を曲げて臀部を折り曲げられた背部体１９の上面に載置し、下肢の膝から下の部分を座部体１２と背部体１９とがなす空間部に挿入して正座する。
【００３８】
利用者Ｕは臀部を背部体１９に載せて正座するため、折り曲げた下肢に体重が加わることがほとんどないばかりか、下肢の折り曲げ角度も大きくなる。そのため、長時間にわたって着座していても、下肢が圧迫され難いから、血行が悪くなって痺れが生じるのを防止することができる。
【００３９】
利用者Ｕが長身で、それに応じて下肢が比較的長い場合、背部体１９の下面側の空間部に折り曲げた下肢を入れても、背部体１９の下端部に開口部が形成されている。そのため、利用者Ｕは爪先を上記開口部から背部体１９の外面側に突出させることができるから、楽な状態で正座することができる。
【００４０】
利用者Ｕが背部体１９を折り曲げて着座する場合、図７では正座して利用する場合を示したが、正座に限られず、あぐら座であってもよく、その場合であっても、下肢に体重がほとんど加わることがないから、下肢が短時間で痺れるのを防止することができる。
【００４１】
座椅子２１の背部体１９を起立させて利用する場合、利用者は背部体１９に寄り掛かることがある。その場合、背部体１９に利用者の荷重が加わると、座部体１２の前端部が上昇し易くなる。しかしながら、座部体１２の後端部には後方に突出する転倒防止部材１６が設けられているため、利用者が背部体１９に寄り掛かっても、座部体１２が後端部を支点として前端側が上昇するのを防止することができる。
【００４２】
【発明の効果】
以上のようにこの発明によれば、座部体や背部体の大型化を招かず、しかも簡単な構成で、下肢に負担を掛けることなく正座やあぐら座で着座することができる座椅子を提供することができる。
【図面の簡単な説明】
【図１】この発明の第１の実施の形態を示す座椅子の斜視図。
【図２】利用者が着座した状態の側面図。
【図３】座椅子を折り畳んだ状態の側面図。
【図４】この発明の第２の実施の形態を示す座椅子の座フレームと背フレームとを示す斜視図。
【図５】座椅子の側断面図。
【図６】ヒンジ機構の斜視図。
【図７】利用者が着座した状態の側面図。
【符号の説明】
２，１２…座部体
３，１９…背部体
６…補助体
７…着座部材
８…支持部材
１４…立ち上がり部
１８…ヒンジ機構（保持手段）
【図１】
2004160066.tif 000003
【図２】
2004160066.tif 000004
【図３】
2004160066.tif 000005
【図４】
2004160066.tif 000006
【図５】
2004160066.tif 000007
【図６】
2004160066.tif 000008
【図７】
2004160066.tif 000009